(57)【要約】【課題】  雨に濡れた傘を閉じた状態でも、傘側部の張り布に残る雨しずくで手や衣服、手荷物など周囲を濡らさないように遮蔽することができる雨傘の雨しずくカバーを提供することを目的とする。【解決手段】  この雨しずくカバー１１は、張り布２を中心の傘軸１に沿うように折りたたんだ状態で傘先端の張り布固着近傍部位から傘軸の把持柄近傍部位まで伸長する可撓伸縮性鞘部材１２と、この鞘部材１２の両端開口縁部に設けた環状の補強環部材１３，１５と、鞘部材の把持柄側の端部を把持柄に係留する係留手段（吊紐１７）とを有し、鞘部材の内径および環状の補強環部材の内径は、傘の張り布を折りたたんだ状態の傘外径部を遊挿状態に囲包する内径に形成されており、鞘部材は傘先端側から手元の把持柄側へ収縮可能となっている。【選択図】    図１
0003209871.tif 000002
【実用新案登録請求の範囲】
【請求項１】
天幕となる張り布を中心の傘軸に沿うように折りたたんだ状態で傘先端の張り布固着近傍部位から前記傘軸の把持柄近傍部位まで伸長する可撓伸縮性鞘部材と、
前記鞘部材の両端開口縁部に設けた環状の補強部材と、
前記鞘部材の前記把持柄側の端部を前記把持柄に係留する係留手段と、
を有し、前記鞘部材の内径および環状の前記補強部材の内径は、前記張り布を折りたたんだ状態の傘外径部を遊挿状態に囲包する内径に形成されており、前記鞘部材は前記傘先端側から前記把持柄側へ収縮可能となっていることを特徴とする雨傘の雨しずくカバー。
【請求項２】
天幕となる張り布を中心の傘軸に沿うように折りたたんだ状態で傘先端の張り布固着近傍部位から前記傘軸の把持柄近傍部位まで伸長する可撓伸縮性鞘部材と、
前記鞘部材の両端開口縁部に設けた環状の補強部材と、
前記鞘部材の前記把持柄側の端部を前記把持柄に係留する係留手段と、
傘先端側の可撓伸縮性鞘部材の端部から伸長した可撓伸縮性袋部と、
を有し、前記可撓伸縮性袋部は、前記可撓伸縮性鞘部材の前記端部に対し開閉可能に部分的に切離されており、前記鞘部材の内径および環状の前記補強部材の内径は、前記張り布を折りたたんだ状態の傘外径部を遊挿状態に囲包する内径に形成されており、前記可撓伸縮性袋部の切離部の切離口から傘先端部を通出させることで、前記鞘部材が前記袋部とともに前記傘先端側から前記把持柄側へ収縮可能となっていることを特徴とする雨傘の雨しずくカバー。
【考案の詳細な説明】
【技術分野】
【０００１】
本考案は雨傘の雨しずくカバーに関する。
【背景技術】
【０００２】
雨に濡れた雨傘を閉じた状態で持ち歩く場合とか、濡れた傘を閉じて店舗や建屋内に入る場合、たたんだ傘の側部に露呈する張り布の外側部が濡れているため、傘の持参者や周囲の人の身体に接触して衣服や建屋の床や椅子等を濡らしてしまう。このような事態に対処すべく、従来から例えば店舗に備え付けの細長い袋状の筒体に閉じた傘を収納して店舗内に入るのを客に要望する等の対応をとっていた。
【０００３】
この分野の技術文献としては、閉じた傘をカバーに入れ易くするために、片側が拡開した円錐形のカバーの先端に円筒状のキャップを固着し、傘の先端をカバーの拡開側から前記キャップに挿入するようにしたカバーキャップが開示されている（特許文献１）。
また、特許文献２ではカップ状ないし椀形の雨よけ部材を傘の先端に固着し、この雨よけ部材の開口側に伸縮性の筒状カバーの先端を装着し、この筒状カバーの他端を傘の把持柄側へ引き伸ばすことで、傘をカバーで囲包する構造としている。伸縮性の筒状カバーは先端のカップ状の雨よけ部材内に収納可能であり、この状態で傘の張り布を開き、傘をさすという構成である。そのほか、円錐形ケースの開口部に筒状の伸縮シートの一端を固着し、傘の先端を伸縮シートの他端から前記ケースに挿入、固着するとともに、傘の閉じ状態で伸縮シートを傘の把持柄側へ引き伸ばすようにした伸縮傘シート付き傘の水滴捕捉用具も開示されている（特許文献３）。
【先行技術文献】
【特許文献】
【０００４】
【特許文献１】実用新案登録第３２０３５１５号公報
【特許文献２】実用新案登録第３１９４１７４号公報
【特許文献３】実用新案登録第３１０６６３１号公報
【考案の概要】
【考案が解決しようとする課題】
【０００５】
雨に濡れた傘を折りたたんで持ち歩く場合、傘の雨しずくを避けるために傘の長さに合った収容袋を別に用意し、この中に傘を入れる方式は、雨が降っている状況下での外出時に前記収容袋を傘と別体で携行しなければならず、非常に煩雑である。
【０００６】
特許文献１に記載のカバーキャップは、閉じた傘をビニール製のカバーに挿抜くする操作は容易であるものの、先端に円筒状のキャップが付いたカバーを傘と別体で保持しなければならず、カバーの持参を忘れるなどの問題がある。また、閉じた状態の傘の先端をビニールカバーの付いたキャップの穴に差し込むだけでは、ビニールカバーが先端のキャップ側へずれ落ちるおそれがある。特許文献２のカバー付き長傘は傘とカバーが一体となっている利点はあるものの、濡れた傘を閉じて下向きにしたときに、傘の張り布から滴下する雨しずくがカップ状（お椀形）の雨よけ部材の中に溜まり、雨よけ部材内に収縮保持されている筒状カバーの外面が濡れてしまう欠点がある。また、降雨時に傘を開いて使用している状態では、引張りばねを内蔵した筒状カバーが傘の先端に収縮、保持されるという形態のため、傘自体が重くなるという不都合がある。
【０００７】
特許文献３の伸縮傘シート付き傘の水滴捕捉用具も傘を閉じて下向きにしたときに、傘先端のケース内に水が溜まり、ケース内に収縮、収容された伸縮傘シートが濡れるとともに、傘上向きにしたときに、傘の頂部に伸縮傘シート収容ケースが保持される形態のため、傘が重くなり片手で傘を持ったときの安定性を欠くという不具合がある。
【０００８】
本考案は上述した従来の諸種の問題、不具合をなくし、雨に濡れた傘を閉じた状態でも、傘側部の張り布に残る雨しずくで手や衣服、手荷物など周囲を濡らさないように遮蔽することができる雨傘の雨しずくカバーを提供することを目的とする。
【０００９】
本考案はまた、傘を開くときには雨しずくの遮蔽鞘部材が傘の把持柄〜握り部にコンパクトに収まり、傘をさす時の邪魔にならない雨しずくカバーを提供することを目的とする。
【課題を解決するための手段】
【００１０】
本考案に係る雨傘の雨しずくカバーは、天幕となる張り布を中心の傘軸に沿うように折りたたんだ状態で傘先端の張り布固着近傍部位から前記傘軸の把持柄近傍部位まで伸長する可撓伸縮性鞘部材と、前記鞘部材の両端開口縁部に設けた環状の補強部材と、前記鞘部材の前記把持柄側の端部を前記把持柄に係留する係留手段とを有し、前記鞘部材の内径および環状の前記補強部材の内径は、前記張り布を折りたたんだ状態の傘外径部を遊挿状態に囲包する内径に形成されており、前記鞘部材は前記傘先端側から前記把持柄側へ収縮可能となっている。
【００１１】
また、本考案の他の形態に係る雨傘の雨しずくカバーは、天幕となる張り布を中心の傘軸に沿うように折りたたんだ状態で傘先端の張り布固着近傍部位から前記傘軸の把持柄近傍部位まで伸長する可撓伸縮性鞘部材と、前記鞘部材の両端開口縁部に設けた環状の補強部材と、前記鞘部材の前記把持柄側の端部を前記把持柄に係留する係留手段と、傘先端側の可撓伸縮性鞘部材の端部から伸長した可撓伸縮性袋部とを有し、前記可撓伸縮性袋部は、前記可撓伸縮性鞘部材の前記端部に対し開閉可能に部分的に切離されており、前記鞘部材の内径および環状の前記補強部材の内径は、前記張り布を折りたたんだ状態の傘外径部を遊挿状態に囲包する内径に形成されており、前記可撓伸縮性袋部の切離部の切離口から傘先端部を通出させることで、前記鞘部材が前記袋部とともに前記傘先端側から前記把持柄側へ収縮可能となっている。
【考案の効果】
【００１２】
本考案に係る雨しずくカバーは、雨に濡れた傘を閉じた場合に、傘の張り布に残る雨しずくを有効に遮蔽することができ、また傘を開いた状態でも傘の持手の部分にコンパクトに収容できる。カバーが傘と一体に保持されるので、カバーを付け忘れたり、紛失したりすることがなく、また、閉じた傘の側部をカバーで覆う操作もきわめて簡単、迅速に行える。
【００１３】
傘を開いた状態では、可撓伸縮性のカバーが傘の把持柄ないし握り部近くに収縮状態に保持されるので、傘のバランスを崩すことなく傘を開いて雨受けができ、また傘をさす場合の邪魔にはならない。
【図面の簡単な説明】
【００１４】
【図１】本考案の実施例１に係る雨しずくカバーによって雨傘を覆ったときの状態を示した全体側面図である。
【図２】図１に示す実施例１における雨しずくカバーを傘の握り部近くの把持柄に収縮させたときの状態を示す側面図である。
【図３】本考案の実施例１に係る雨傘を開き、降雨時に傘をさすときの状態を示した側面図である。
【図４】本考案の実施例２に係る雨しずくカバーの部分的な側面図であり、同図（ａ）は鞘部材下端の袋部を閉じた状態の概略図、同図（ｂ）は袋部を開いた状態を示す概略図である。
【図５】本考案の実施例２の変化例を示す雨しずくカバーの部分的な側面図である。
【考案を実施するための形態】
【００１５】
本考案を各種の実施例について図面を参照して説明する。この実施例は一般にコウモリ傘あるいは長傘と称されている通常の雨傘に適用したものであり、傘全体の長さを短縮できる形態の特殊な折りたたみ傘あるいは伸縮タイプのものではない。しかし本考案の雨しずくカバーは折りたたみ傘や伸縮タイプの傘に対しても傘を閉じた状態で適用でき、雨しずくを遮蔽することができる。
【００１６】
（実施例１）
まず、図３を参照して本考案の実施例１に係る雨傘１０の概略構造を説明すれば、全体として傘１０の基軸を規定する中心の傘軸１の先端近傍部位に天幕となる張り布２の中心部分が固着され、また、傘軸１の他端に傘の持手となる把持柄３が連結されている。張り布２は裏面に複数本の放射状の補強骨５によって補強されている。傘軸１には該傘軸に沿って摺動可能なリング体６が装着され、このリング体６に放射状に伸長可能な複数本の骨材７の各基端が枢着され、また骨材７の各先端は天幕状張り布２の裏面の前記補強骨５に連結されている。リング体６を手動あるいは公知のばね手段などを利用した自動機構で傘軸１の先端側へ移動させることで、複数本の骨材７が放射状に外側へ伸長し、これによって張り布２が天幕状に展伸される。リング体６を傘軸１に沿って持手の把持柄３の基部近くに移動させることで、リング体６に枢着された骨材７が傘軸側へたたまれ、張り布２は傘軸１に沿うように傘軸１のまわりに折りたたまれる。以上の構成は既存の通常の雨傘と変わるところはない。
【００１７】
図２に示すように、張り布２が上述のように傘軸１のまわりに閉じられた後、収納あるいは携行し易くするために、閉じられた張り布２はさらに天幕の外縁となる布端９部分が傘軸１まわりに巻き付けられ、その周囲が結束帯片８で巻き留めされる。雨の降っていないときは、通常この状態で携行されるが、雨にぬれた傘では上述のように巻きたたんだ状態でも雨しずくが張り布に残り、傘携行者の衣服や手荷物を傘の雨しずくで汚すことになる。本考案では、この巻きたたんだ状態の雨傘１０の張り布２に残る雨水や雨しずくを鞘状のカバーによって封止するカバー構造を提供するものである。
【００１８】
図１および図２を参照すれば、実施例１の雨しずくカバー１１は、傘１０の外側部を囲包する鞘部材１２を有している。この鞘部材１２は、傘１０を閉じて張り布２を傘軸まわりに巻きたたんだ状態で傘先端近くの張り布２の固着部位２ａの外側から傘の持手となる把持柄３近くまで伸びている（図１の状態）。鞘部材１２は少なくとも長さ方向に伸縮し得るような可撓性の薄いシート素材で構成され、かつその両端部が開口した筒状に形成されている。両端の開口部には両端部の内径と略同等の内径を持つ補強環３，５が取り付けられている。鞘部材１２の内径および傘先端側の補強環１３の内径は、傘１０を閉じて張り布２を傘軸１のまわりに折りたたみ、かつ結束帯片８で張り布２を巻き留めした状態の傘外径部を或る程度の余裕をもって囲包するのに充分な内径に定められる。
【００１９】
鞘部材１２の把持柄３側の端部の補強環１５は把持柄３の握り部１６近くから吊紐１７で吊り下げられている。図示の実施例では、わん曲した握り部１６の先端近くの位置に吊紐１７の一端が取り付けられ、吊紐１７の他端が把持柄３側の鞘部材端部の補強環１５に取り付けられ、鞘部材の伸長状態では、この吊紐１７によって把持柄３側の鞘部材端部は概ね把持柄３と傘軸１との連結部近くの位置にくるように吊り下げられている。
【００２０】
鞘部材１２の材質は伸縮可能な軟質の合成樹脂製薄シートあるいは布シートであり、場合によっては防水、発水加工された紙シートも採用可能である。図２，図３に示す如く、傘先端側の鞘部材端部の補強環１３を手でつかんで容易に傘１０の基部つまり把持柄３側へ引き寄せることができる。そして紐１７で吊られた手元側の鞘部材補強環１５と共に把持柄３の握り部側へ寄せ付ける。鞘部材１２は皺状ないし蛇腹状になって長さ方向に収縮し、両補強環１３，１５の間に挟まれるようにして傘１０を把持した使用者の手元に集められる。図２はこのときの状態である。この状態から結束帯片８を外し、傘軸１上の前記リング体６（図３）を傘軸先端側へ押し込むことで張り布２は天幕状に展伸し、傘１０が開いた状態となる。図３はこのときの状態である。
【００２１】
本考案においては、雨に濡れた傘を閉じたときに、折りたたまれた張り布の外側が雨しずくで濡れ、傘の張り布に触れた手や衣服、手荷物等を汚すことがあるが、このような場合に把持柄の握り部に収縮されている鞘部材１２の一方の補強環、具体的には傘先端側の補強環１３を傘１０の先端へ向けて伸ばすことで、傘１０の外側部、つまり、折りたたまれた張り布２の外周部が鞘部材１２に囲包され、張り布２の雨しずくは鞘部材１２の下端開口から滴下することはあっても、張り布２の雨しずくが直接手や衣服、手荷物を濡らすことはなく、また閉じた傘のわん曲した握り部１６を例えば銀行等の店舗のカウンターの上面に掛けて傘１０を保持するような場合にもカウンターの側部を張り布の雨しずくで濡らすということはなくなる。
【００２２】
傘を開いた状態では、鞘部材１２は把持柄３あるいはその端部の握り部１６近くに収縮状態に集められており、かつ全体としては軽量であるため、開いた傘を保持するのに支障はない。場合によっては、補強環１３，１５のいずれか一方、あるいは両方の補強環１３，１５に結束帯片を取り付け、鞘部材１２を把持柄部分に収縮させた状態で鞘部材１２を巻きつつむように前記帯片を離脱可能に接合させることも可能である。結束帯片の離脱可能な接合形態としては例えば前記帯片に面ファスナーを取り付けたり、前記帯片にボタンとボタン留めを設けて帯片どおしを接合するようにすることが考えられる。
【００２３】
（実施例２）
本考案の実施例２に係る雨しずくカバーを図４を参照して説明する。この実施例２は可撓伸縮性鞘部材の下端部が先に説明した実施例１と異なるのみで、他の部分は実施例１に係る雨しずくカバーとほぼ同じである。可撓伸縮性鞘部材１２はその下部に環状の下側補強環１３が取り付けられ、この補強環１３の位置から鞘部材１２が下方へ伸長し、この伸長部分が可撓性の袋部２０となっている。なお、下側補強環１３は可撓伸縮性鞘部材１２に接着その他の適切な手段で固着されている。実施例２では、袋部２０は下側補強環１３に近接した位置で周方向に部分的に切離され、この切離部２１を閉じる開閉可能な連結部材が袋部２０の切離部２１に設けられている。実施例２の具体例では、切離部２１の下側部分に（下側）面ファスナー２２が固着され、切離部２１の上側部分に前記（下側）面ファスナー２２にかぶさる（上側）面ファスナー２３が取り付けられ、切離部２１を閉じた状態で面ファスナー２２，２３どおしを接合することで袋部２０が閉塞状態になる。
【００２４】
袋部２０が閉塞された状態で、上側補強環１５（図１〜３図）が吊紐で把持柄に吊された状態の可撓伸縮性鞘部材１２を下方へ完全に伸長させたとき、傘の先端部１９は鞘部材１２を通して下側補強環１３の位置から袋部２０内に挿入され、傘１０の張り布２の外面を濡らしている雨しずくは傘先端部１９から滴下して袋部２０内に留まり、鞘部材１２から外部に流出するのが防止される。
【００２５】
この状態から傘１０を開く場合は、袋部２０の切離部２１を閉じている面ファスナー２２，２３どおしの結合を解きはずし、図４（ｂ）のように大きく口を開いた切離部２１から傘先端部１９を外側へ通出させるようにして可撓性の鞘部材１２を袋部２０とともに傘１０の把持柄側へ引き上げ、図２のような状態にして張り布２を留めている結束帯片８を外し、図３のように傘１０を開く。
【００２６】
図５は実施例２の変化例であり、袋部２０の下部近くの箇所で傘軸の軸線方向に対して直角方向（横方向）に袋部２０が部分的に切離され、この切離部２１に該切離部を開閉するジッパーあるいはファスナー２５が取り付けられている。傘１０の先端部１９を袋部２０内に挿入し、切離部２１のファスナー２５を閉じることで張り布２から滴下する雨しずくは袋部２０内に溜まり、外部に漏れるのが防止される。傘１０を開く場合は、ファスナー２５の結合を外して切離部２１を大きく開き、図４で説明したように切離部２１の開いた口から傘先端部１９を外側へ通出させるようにして袋部２０および鞘部材１２を引き上げて図３のように傘１０を開く。
【００２７】
図４、図５に示した実施例２およびその変化例では、切離部の開口を閉じる手段として面ファスナー、ジッパー等の連結手段を採用したが、本考案はこのような形態の連結手段に限定されるものではなく、ボタン掛け、フック掛けその他任意の開閉可能な連結手段が採用され得る。
実施例１では鞘部材の下端が開放されているため、雨しずくは鞘部材の下端から滴下することがあるが、鞘部材の上げ、下げの操作がきわめて簡単かつ片手のワンタッチ操作で行える。これに対し実施例２の場合は、袋部の切離部の開閉に若干手数がかかるものの、傘の張り布の雨しずくは完全に袋部内に封じ込められ、外部に漏出することはない。
【符号の説明】
【００２８】
１  傘軸
２  張り布
３  把持柄
６  リング体
７  骨材
１０  傘
１１  雨しずくカバー
１２  鞘部材
１３，１５  補強環
１６  握り部
１７  吊紐
２０  袋部
２１  切離部
２２，２３  面ファスナー
２５  ファスナー
【図１】
0003209871.tif 000003
【図２】
0003209871.tif 000004
【図３】
0003209871.tif 000005
【図４】
0003209871.tif 000006
【図５】
0003209871.tif 000007